(57)【要約】【課題】電気掃除機において、紙袋に許容量以上の塵埃が吸引され、紙袋が破損する。【解決手段】平紙から袋形状を形成するための紙材同士の折り返し接着部（接合部）１９を有し捕集した塵埃を溜める紙袋４と、集塵室３内に着脱自在に設けられ、紙袋４を着脱自在に搭載した紙袋ケース５と、紙袋ケース５に設けられた手下げ用のハンドル８とを備え、紙袋４を搭載した紙袋ケース５を集塵室３にセットして塵埃を吸い込んだときに、膨れた紙袋４の接合部１９の一部を押える壁面部１１を、ハンドル８の一部に設ける電気掃除機とした。これにより、紙袋４が過度に膨張したり、歪に膨らんだりするのを抑制し、紙袋４の脆弱な接合部１９が破損して、塵埃が漏洩することを防止できる。【選択図】図１
2006223431.tif 000002
【特許請求の範囲】
【請求項１】
掃除機本体へ吸引風を発する電動送風機と、塵埃を捕集すると共に上方を開口させた集塵室と、前記集塵室上方の開口部に開閉自在に設けられた蓋体と、平紙から袋形状を形成するための紙材同士の接合部を有し捕集した塵埃を溜める紙袋と、前記集塵室内に着脱自在に設けられ、前記紙袋を着脱自在に搭載した紙袋ケースと、前記紙袋ケースに設けられた手下げ用のハンドルとを備え、前記紙袋を搭載した前記紙袋ケースを集塵室にセットして塵埃を吸い込んだときに、膨れた前記紙袋の接合部の一部を押える壁面部を、前記ハンドルの一部に設けたことを特徴とする電気掃除機。
【請求項２】
ハンドルの形状を略コの字型に、壁面部の形状を略曲面に、それぞれ形成すると共に、前記壁面部を、前記ハンドルの略中央部を外して該中央部の両側に設けたことを特徴とする請求項１記載の電気掃除機。
【請求項３】
紙袋ケースは底面、両側面、さらには電動送風機側に対向する背面を備え、壁面部を、前記背面と両側面とが交わる略稜線部分の上方に位置するハンドル部分に設けたことを特徴とする請求項１または２に記載の電気掃除機。
【請求項４】
紙袋ケースを集塵室にセットしたときにハンドルが蓋体の裏面と対峙する構成とすると共に、前記ハンドルの外側形状は、蓋体の裏面形状に沿う形状としたことを特徴とする請求項１〜３のいずれか１項に記載の電気掃除機。
【請求項５】
壁面部の、紙袋と対峙する側の面に、リブを設けたことを特徴とする請求項１〜４のいずれか１項に記載の電気掃除機。
【請求項６】
ハンドルの壁面部に、孔を設けたことを特徴とする請求項１〜５のいずれか１項に記載の電気掃除機。
【発明の詳細な説明】
【技術分野】
【０００１】
本発明は、集塵した塵埃を使い捨ての紙袋内に確実に捕集して、容易かつ清潔に塵埃を廃棄することを目的とした電気掃除機に関するものである。
【背景技術】
【０００２】
従来の電気掃除機で、特に吸い込んだゴミを一時的に溜める集塵部においては、ゴミ捨てを容易にする目的で、持ち運び用の取っ手を備え、掃除機内部に着脱可能であり、使い捨ての紙袋を装着できる断面略Ｌ字状の集塵部を備えたものがある。使用者はゴミ捨ての際、掃除機の集塵部を密閉しているフタを開け、集塵部を本体より取り外し、ゴミ箱付近まで運んでごみの入った紙袋を捨てる（例えば、特許文献１参照）。
【０００３】
また、同様に持ち運び用の取っ手を備え、紙袋を装着でき、掃除機内部に着脱可能なカゴ状の集塵部を持つ電気掃除機がある。この電気掃除機は紙袋が塵埃でいっぱいになった際に、上方への膨らみを抑え、紙袋の折り返し接着部分に過度の力がかかって破損するのを防ぐ目的で、押え部材が備えられている（例えば、特許文献２参照）。
【０００４】
図７は特許文献１に開示された集塵部の従来例を示す電気掃除機の斜視図であり、掃除機本体１００の集塵室１０１には取っ手１０２付きの断面略Ｌ字状の集塵部１０３が取り付けられている。集塵部１０３へは使い捨ての紙袋１０４を着脱可能であり、使用者がゴミを捨てる際は掃除機本体１０１よりカゴ１０３取り出すために、集塵室１０２を密閉していた蓋１０５を開けて、この取っ手１０３をつかんで集塵室１０２から持ち上げる構成となっている。
【０００５】
また図８は特許文献２に開示された集塵室の別の従来例を示す電気掃除機の断面図である。電気掃除機２００の集塵室２０１内部には紙袋２０２が着脱自在なカゴ状の集塵部２０３およびその持ち運び用の取っ手２０４を有している。集塵室を密閉するフタ２０５の下には、取っ手２０４の上方をつまり紙袋２０２セット時にその上方を覆うように押え部材２０６が備えられている。
【特許文献１】特開２００２−２７２６５７号公報
【特許文献２】特開２００４−１７４０４６号公報
【発明の開示】
【発明が解決しようとする課題】
【０００６】
しかしながら、上記特許文献１に開示された従来の構成では、取っ手１０２は前方に位置しており、後方および上方共に開放状態であり、紙袋は塵埃で満たされるにつれ電気掃除機の蓋や集塵室壁面いっぱいまで膨張し、紙袋が過度に膨らむことによって紙袋の接着部分に無理な力がかかって破損する恐れがあった。また、上記特許文献２に開示された従来の構成では、上方への膨張を抑えるため押え部材２０６を専用に設けているため、部品点数が増えるといったことや重量アップといった課題を有していた。
【課題を解決するための手段】
【０００７】
本発明の電気掃除機は前記従来の課題を解決するもので、掃除機本体へ吸引風を発する電動送風機と、塵埃を捕集すると共に上方を開口させた集塵室と、前記集塵室上方の開口部に開閉自在に設けられた蓋体と、平紙から袋形状を形成するための紙材同士の接合部を有し捕集した塵埃を溜める紙袋と、前記集塵室内に着脱自在に設けられ、前記紙袋を着脱自在に搭載した紙袋ケースと、前記紙袋ケースに設けられた手下げ用のハンドルとを備え、前記紙袋を搭載した前記紙袋ケースを集塵室にセットして塵埃を吸い込んだときに、膨れた前記紙袋の接合部の一部を押える壁面部を、前記ハンドルの一部に設けたものであり、紙袋に許容範囲を越えて塵埃が吸引されたり、長時間無理な密閉吸引力がかかったりした場合にも、紙袋の過度の膨らみを抑え、紙袋の接合部に過度の力がかかって紙袋が破損しないようにして、塵埃の漏洩を防ぐことができる。
【発明の効果】
【０００８】
本発明によれば、集塵した塵埃を使い捨ての紙袋内に確実に捕集して、清潔かつ容易に廃棄することができ、電気掃除機の使用性が向上する。
【発明を実施するための最良の形態】
【０００９】
第１の発明の電気掃除機は、掃除機本体へ吸引風を発する電動送風機と、塵埃を捕集すると共に上方を開口させた集塵室と、前記集塵室上方の開口部に開閉自在に設けられた蓋体と、平紙から袋形状を形成するための紙材同士の接合部を有し捕集した塵埃を溜める紙袋と、前記集塵室内に着脱自在に設けられ、前記紙袋を着脱自在に搭載した紙袋ケースと、前記紙袋ケースに設けられた手下げ用のハンドルとを備え、前記紙袋を搭載した前記紙袋ケースを集塵室にセットして塵埃を吸い込んだときに、膨れた前記紙袋の接合部の一部を押える壁面部を、前記ハンドルの一部に設けたもので、紙袋に許容量以上の塵埃が吸い込まれたり長時間の密閉吸引状態により紙袋に強い膨張力が加わったりした場合にも、紙袋の過度の膨らみを抑え、紙袋の接合部に過度の力が加わり紙袋が破損して塵埃が漏洩するのを防ぐことができる。
【００１０】
第２の発明の電気掃除機は、特に、第１の発明のハンドルの形状を略コの字型に、壁面部の形状を略曲面に、それぞれ形成すると共に、前記壁面部を、前記ハンドルの略中央部を外して該中央部の両側に設けたもので、紙袋の膨張を上部方向からのみではなく、他方向からも抑えることができるため、より確実に膨張による紙袋の破損を防止できる。また、紙袋の貼りあわせ部分など端の特に脆弱な部分の膨張を効率的に抑え、必要な部分のみに壁面を設けるためハンドルの軽量化ができる上、使用者が紙袋ケースを持ち運びする際に、ハンドル部の中央部に手を掛けることができ、持ち運びしやすい。また、壁面部がハンドルの中央部の両側に設けられているため、中央部に手を掛ける際のガイドになる、あるいはハンドルの略中央を外してその両側に設けられた壁面部が、その内側であるハンドルの略中央部を、実質的に持ち運びする際の手係り部分に形成するという効果も有するものである。
【００１１】
第３の発明の電気掃除機は、特に、第１または第２の発明の紙袋ケースは底面、両側面、さらには電動送風機側に対向する背面を備え、壁面部を、前記背面と両側面とが交わる略稜線部分の上方に位置するハンドル部分に設けたもので、一般的に紙袋の両端に形成される接合部が背面と両側面とが交わる略稜線部分に位置することになり易く、その接合部の上面を、前記稜線部分の上方に位置するハンドルの壁面部で、押さえることが可能になり、紙袋の強度が弱い接合部の一部を押さえて、効果的に紙袋の膨張を防ぐことができ、またハンドルの壁面部が、背面と両側面とが交わる略稜線部分の上方に位置することになるため、紙袋ケースと壁面部を備えたハンドルとの一体感が増し、デザイン的にも優れるものである。
【００１２】
第４の発明の電気掃除機は、特に、第１〜第３のいずれか１つの発明の紙袋ケースを集塵室にセットしたときにハンドルが蓋体の裏面と対峙する構成とすると共に、前記ハンドルの外側形状は、蓋体の裏面形状に沿う形状としたもので、ハンドルの形状を集塵室内で可能な限り大きく形成でき、紙袋ケースと該ハンドルとで構成する紙袋の収納スペースを大きく構成でき、結果として、紙袋を大きく形成することができ、紙袋の集塵容量も大きくすることができるものである。
【００１３】
第５の発明の電気掃除機は、特に、第１〜第４のいずれか１つの発明の壁面部の、紙袋と対峙する側の面に、リブを設けたもので、更に効果的に紙袋の膨張を抑える上、通気性も増し，更には壁面部の機械的強度の向上を図ることができる。
【００１４】
第６の発明の電気掃除機は、特に、第１〜第５のいずれか１つの発明のハンドルの壁面部に、孔を設けたもので、紙袋の膨張を抑える上に、壁面に穴があることにより通気量が増すため、吸引力が持続する。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気掃除機本体１の斜視図である。掃除機本体（以下、「本体」と称す）１へは後部に吸引風を発する電動送風機２を、またその前方には塵埃を捕集する集塵室３を設けている。集塵室３の内部には捕集した塵埃を一時的に溜めるための使い捨ての紙袋４（図２に示す）をセットできる紙袋ケース５を設けている。図２に示すように紙袋ケース５には回動軸穴６が設けてあり、回動軸７を有するハンドル８を紙袋ケース５の上方を覆う形で、回動自在に設けており、また前記ハンドル８は、コイルバネ等の弾性体により、通常は、紙袋ケース５の下記の背面１５側に附勢され、下記の底面１３の略鉛直方向に保持されている。紙袋ケース５は底面１３、両側面１４及び電動送風機２側へは背面１５を有しており、紙袋ケース５を集塵室３にセットしたとき、掃除機本体１の吸気口後部１６（図１）の両側近傍に位置する部分に断面略コの字の紙袋装着部９を備えていて、これらの面で紙袋４を覆うように構成されている。また、図１に示すように集塵室３の上方開口部へは開口部を開閉するための蓋体１０を回動自在に配設していおり、ハンドル８は集塵容積を大きく保つため、蓋体１０断面形状に沿った形状としている。図２に示すように、このハンドル８へは紙袋セット時、前記紙袋の接合部である折り返し接着部１９近傍を覆うようにハンドル形状に沿って壁面部１１を配設している。使用者が紙袋を交換する際には、集塵室３よりハンドル８を握り、紙袋ケース５を取り出してゴミ箱などの付近まで持ち運び、塵埃の入った紙袋４を捨てた後、新しい紙袋を紙袋ケースへ装着し、再び集塵室３へ紙袋ケース５をセットするが、その際、壁面部１１は使用者がごみ捨ての際ハンドル８を握りやすいよう、中央約６０ｃｍを避けて配置している。また、この壁面部１１の紙袋装着側に向かう面を壁面部内側１２とし、この壁面部内側１２は曲面形状となっている。また、図３に示すように壁面部１１を背面終端部１７に一致する位置まで延長しており、孔１８を設けている。
【００１７】
以上のように構成された電気掃除機について、以下、その動作、作用を説明する。通常掃除機に吸引されたゴミは紙袋４に溜められるが、そのゴミによって吸引力が落ちてきたり、紙袋４が一杯になった場合には、蓋体１０を開け集塵室３より紙袋ケース５を取り出してゴミの入った紙袋４を捨てる。紙袋４は紙袋ケース５に覆われているため、紙袋４が集塵室３いっぱいに広がらず、集塵室３より紙袋４を取り出す際の抵抗力が生じるのを防ぐことができるうえ、紙袋４にふれることなくゴミを捨てることができ、使用者の手を汚さない。さらに本実施の形態のハンドル８には壁面部１１が設けられているため、万が一、紙袋４の集塵許容量を超えてゴミが吸引されて紙袋４に無理な膨張力が加わったり、無理な密閉吸引力が加わったりして、紙袋４の折り返し接着部１９などの脆弱な部分に負担がかかった場合にも、壁面部１１によってその場所が過度に膨張するのを抑制する事ができるため、紙袋４が破損したりしてゴミが漏れ出すのを防ぐことができる。この壁面部１１は使用者の持ち手部分を避けるように設置しているのでゴミ捨ての際邪魔にならず、壁面部内側１２が曲面となっていることで、紙袋４の端部の膨張を上方、側方、後方から共に押さえる事ができ、効果的である。更に壁面部１１は紙袋ケース５の背面終端部１７まで延長しているので、紙袋４は歪に膨らむことがなく無理な力がかかることがないので、破損を防ぐのに効果的である。また、壁面部１１に設けられた孔１８によって通気量が保てるので、吸引力が持続する。さらに壁面部内側１２にリブを配設すれば（図示せず）機械的強度が増す上、さらに通気性がよくなり、紙袋の膨張も押さえることができる。
【００１８】
（実施の形態２）
図４は本発明の第２の実施の形態を示す、紙袋４をセットした状態の紙袋ケース５の斜視図である。ハンドル８の紙袋ケース底面１３と対面する側をハンドル下面２０とし、ハンドル下面２０に垂直にリブａ２１を数箇所配設している。以上のように構成された電気掃除機について、以下、その動作、作用を説明する。紙袋４に塵埃が吸引されいっぱいになった場合には単純なリブａ２１の形状のみにより紙袋の膨張が規制され、膨らみすぎが防止できて紙袋４の折り返し接着部１９に過度の力がかかるのを防止できる上、紙袋４とハンドル８の間には空気通路が確保されるため、通気量を保つことができ、吸引力が持続する。またこのリブは図５に示すようにハンドル下面２０と平行にリブｂ２２のようなものを設けたものであってもよく、この場合は通気量が保てる上に持ち手を避けているので持ち運びの際、便利である。更に図６に示すようにハンドル下面２０を波状形状とすることにより紙袋の膨らみすぎの防止、通気量確保はもとより、握り易くなるためさらに持ち運びに便利となる。
【産業上の利用可能性】
【００１９】
以上のように、本発明にかかる電気掃除機は、紙袋に許容量以上の塵埃が吸引された場合などに紙袋の膨張を規制するもので、紙袋の破損を防止し、塵埃の漏洩を防ぐことができ、使用者は清潔かつ容易に塵埃を廃棄することができる。
【図面の簡単な説明】
【００２０】
【図１】本発明の実施の形態１における電気掃除機の斜視図
【図２】本発明の実施の形態１における紙袋ケースとハンドルと紙袋の分解斜視図
【図３】本発明の実施の形態１におけるハンドルを装着した紙袋ケースの断面図
【図４】本発明の実施の形態２における紙袋を装着した紙袋ケースとハンドルの分解斜視図
【図５】本発明の実施の形態２における紙袋を装着した紙袋ケースと他のハンドルの分解斜視図
【図６】本発明の実施の形態２における紙袋を装着した紙袋ケースと他のハンドルの分解斜視図
【図７】従来例を示す電気掃除機の断面図
【図８】従来例を示す他の電気掃除機の分解斜視図
【符号の説明】
【００２１】
１    電気掃除機本体
２    電動送風機
３    集塵室
４    紙袋
５    紙袋ケース
６    回動軸穴
７    回動軸
８    ハンドル
９    紙袋装着部
１０  蓋体
１１  壁面部
１２  壁面部内側
１３  底面
１４  両側面
１５  背面
１６  吸気口後部
１７  背面終端部
１８  孔
１９  折り返し接着部（接合部）
２０  ハンドル下面
２１  リブａ
２２  リブｂ
【図１】
2006223431.tif 000003
【図２】
2006223431.tif 000004
【図３】
2006223431.tif 000005
【図４】
2006223431.tif 000006
【図５】
2006223431.tif 000007
【図６】
2006223431.tif 000008
【図７】
2006223431.tif 000009
【図８】
2006223431.tif 000010